(57)【特許請求の範囲】
【請求項１】
ディスプレイスクリーンを含むディスプレイ部分及び入力デバイスを含む入力部分と、
前記ディスプレイ部分及び前記入力部分を回転可能に固定するヒンジアセンブリとを含み、
該ヒンジアセンブリは、
個々のスタックが、前記ディスプレイ部分に固定されるディスプレイ部分要素と、時限リンク要素と、前記入力部分に固定される入力部分要素とを含み、前記時限リンク要素は、概ね反対の第１の端及び第２の端と、前記第１の端を通じて形成される第１の孔及び前記第２の端を通じて形成される第２の孔とを有する、少なくとも第１及び第２の隣接する偏心させられたスタックと、
前記第１のスタックに対して偏心させられた方法において前記第２のスタックを固定するよう、前記第１のスタックの前記時限リンク要素の前記第２の孔及び前記第２のスタックの前記時限リンク要素の前記第１の孔を通じて進む、軸ピンとを含む、
コンピューティングデバイス。
【請求項２】
前記入力部分は、ハウジングを含み、前記入力部分要素は、前記ハウジングに固定される、請求項１に記載のコンピューティングデバイス。
【請求項３】
前記ディスプレイ部分は、ハウジングを含み、前記ディスプレイ部分要素は、前記ハウジングに固定される、請求項１に記載のコンピューティングデバイス。
【請求項４】
前記ヒンジアセンブリは、互いに対する前記ディスプレイ部分及び前記入力部分の３６０度の回転を可能にするように構成される、請求項１に記載のコンピューティングデバイス。
【請求項５】
前記ヒンジアセンブリは、前記ディスプレイ部分及び前記入力部分がそれらの間に比較的小さい角度を定めるときに、回転に対してより少ない抵抗をもたらし、前記角度がより大きくなるに応じて、漸増的により多くの抵抗をもたらす、プログレッシブヒンジである、請求項１に記載のコンピューティングデバイス。
【請求項６】
各スタックは、単一の時限リンク要素を含み、或いは、各スタックは、多数の連続的に配置される時限リンク要素を含む、請求項１に記載のコンピューティングデバイス。
【請求項７】
各スタックは、単一の時限リンク要素を含み、該単一の時限リンク要素の各端にギアが付けられ、或いは、前記第１の端又は第２の端の一方にのみギアが付けられる、請求項１に記載のコンピューティングデバイス。
【請求項８】
前記第１のスタックに関して、前記時限リンク要素の前記第１の端は、前記ディスプレイ部分要素と係合せず、前記第２の端は、すべりのない１対１の回転係合において前記入力部分要素と係合し、前記第２のスタックに関して、前記時限リンク要素の前記第１の端は、すべりのない１対１の回転係合において前記ディスプレイ部分要素と係合し、前記第２の端は、前記入力部分要素と係合しない、請求項１に記載のコンピューティングデバイス。
【請求項９】
前記軸ピンは、第１の軸ピンを含み、前記第２のスタックの前記ディスプレイ部分要素にある孔と前記第１のスタックの前記時限リンク要素の前記第１の端にある前記孔とを通じて進む第２の軸ピンと、前記第２のスタックの前記時限リンク要素の前記第２の端にある前記孔と前記第１のスタックの前記入力部分要素にある孔とを通じて進む第３の軸ピンとを更に含む、請求項８に記載のコンピューティングデバイス。
【請求項１０】
前記第１の軸ピン、前記第２の軸ピン、及び前記第３の軸ピンは、摩擦嵌めを創り出すよう、前記第１及び第２のスタックにある前記孔に比べて過大にされる、請求項９に記載のコンピューティングデバイス。
【請求項１１】
前記第１の軸ピン、前記第２の軸ピン、及び前記第３の軸ピンは、前記第１及び第２のスタックを互いに圧縮する、請求項９に記載のコンピューティングデバイス。
【請求項１２】
前記第１の軸ピン、前記第２の軸ピン、及び前記第３の軸ピンは、前記第１及び第２のスタックを互いに圧縮するよう締め付けられ得るネジ山付きナットを受ける、ネジ山付きボルトを含む、請求項１１に記載のコンピューティングデバイス。
【請求項１３】
ディスプレイスクリーンを含むディスプレイ部分及び入力デバイスを含む入力部分と、
前記ディスプレイ部分及び前記入力部分を回転可能に固定する、ラジアスヒンジアセンブリであって、前記ディスプレイ部分と前記入力部分との間の３６０度の相対的な回転を可能にする曲線を描いて動く関節式作動をもたらすように構成される、ラジアスヒンジアセンブリとを含み、
前記ラジアスヒンジアセンブリは、同じ数の時限リンク要素を含む、少なくとも第１及び第２の隣接する偏心させられたスタックを含み、前記第1のスタックは、前記ディスプレイ部分に固定され、前記第1のスタックの第1の時限リンク要素の隣に位置付けられる、第１のディスプレイ部分要素を含み、前記第２のスタックは、前記ディスプレイ部分に固定される前記第２のスタックの第２の時限リンク要素の隣に位置付けられる第２のディスプレイ要素部分を含み、前記第１のスタックの前記第１の時限リンク要素は、前記第２のスタックの前記第２の時限リンク要素に隣接し、前記第１の時限リンク要素は、前記第１及び第２の時限リンク要素を通じて進む前記ラジアスヒンジアセンブリの回転軸に対して垂直な方向において前記第２の時限リンク要素から偏心させられる、
コンピューティングデバイス。
【請求項１４】
前記ラジアスヒンジアセンブリは、一組の細長い平行な軸ピンの周りで回転し、前記曲線を描いて動く関節式作動は、前記軸ピンの長手軸に対して横方向に見られる、請求項１３に記載のコンピューティングデバイス。
【請求項１５】
前記ラジアスヒンジアセンブリは、前記３６０度の相対的な回転について、前記曲線を描いて動く関節式作動の曲率を制御するよう、時限伝動装置を含む、請求項１３に記載のコンピューティングデバイス。
【発明の詳細な説明】
【発明の概要】
【課題を解決するための手段】
【０００１】
添付の図面は、本文書において伝える着想の実施を例示する。添付の図面と共に考慮される後続の記述を参照することによって、例示の実施の構成をより容易に理解し得る。様々な図面中の同等の参照番号は、同等の要素を示すのに相応しい場合にはいつでも用いられる。更に、各参照番号中の最も左側の数字は、参照番号が最初に提示される図面及び関連する議論を伝える。
【図面の簡単な説明】
【０００２】
【図１】本着想の幾つかの実施に従ったラジアスヒンジの実施例を含む例示的なデバイスである。
【０００３】
【図２】本着想の幾つかの実施に従ったラジアスヒンジの実施例の立面図である。
【図３】本着想の幾つかの実施に従ったラジアスヒンジの実施例の立面図である。
【図４】本着想の幾つかの実施に従ったラジアスヒンジの実施例の立面図である。
【０００４】
【図５】本着想の幾つかの実施に従ったラジアスヒンジの実施例の斜視図である。
【図６】本着想の幾つかの実施に従ったラジアスヒンジの実施例の斜視図である。
【図７】本着想の幾つかの実施に従ったラジアスヒンジの実施例の斜視図である。
【０００５】
【図８】図７の斜視図と類似する分解斜視図である。
【０００６】
【図９】図１−８に示すラジアスヒンジの実施例の部分を示す立面図である。
【０００７】
【図１０】本着想の幾つかの実施に従ったラジアスヒンジの実施例の斜視図である。
【図１１】本着想の幾つかの実施に従ったラジアスヒンジの実施例の斜視図である。
【０００８】
【図１２】本着想の幾つかの実施に従ったラジアスヒンジの実施例の斜視図である。
【図１３】本着想の幾つかの実施に従ったラジアスヒンジの実施例の斜視図である。
【０００９】
【図１４】図１２の斜視図と類似する分解斜視図である。
【００１０】
【図１５】図１４に示すラジアスヒンジの実施例の部分の斜視図である。
【００１１】
【図１６】図１０−１５に示すラジアスヒンジの実施例の部分の立面図である。
【発明を実施するための形態】
【００１２】
本着想は、最大で全３６０度の回転をもたらし得るシームレス（継目なし）ラジアスヒンジアセンブリ(radius  hinge  assembly)に関する。電子デバイス又はコンピューティングデバイスの２つの部分の間に亘る電子コンポーネントを保護しながら、電子デバイス又はコンピューティングデバイスの２つの部分を回転可能に接続するために、シームレスラジアスヒンジアセンブリを利用し得る。従来的なヒンジは、単一の軸の周りで旋回しがちであり、電子コンポーネントに対して狭窄(pinching)又は他の損傷をもたらし得る。対照的に、シームレスラジアスヒンジアセンブリは、電子機器を保護し得る最小の曲げ半径をもたらし得る（例えば、維持し得る）。
【００１３】
導入的な図１は、ラジアスヒンジアセンブリ（この場合には、２つのラジアスヒンジアセンブリ１０６（１）及び１０６（２））によって互いに回転可能に固定される、第１の部分１０２及び第２の部分１０４を有する、コンピューティングデバイス１００の実施例を示している。この場合、第１の部分１０２は、ハウジング１１２内にディスプレイスクリーン１１０を含む、ディスプレイ部分１０８として現れている。第２の部分１０４は、入力デバイス１１６及びハウジング１１８を含む、入力部分１１４として現れている。この場合、入力デバイス１１６は、キーボード及び／又はトラックパッド又はタッチパッドとして現れている。他の実施は、他の入力デバイスを利用し得る。例えば、入力デバイス１１６は、タッチセンサ式ディスプレイスクリーンとして現れ得る。導体の形態における電子コンポーネント１２０が、ラジアスヒンジアセンブリ１０６に近接して第１の部分１０２から第２の部分１０４に通り得る。
【００１４】
ラジアスヒンジアセンブリ１０６は、電子コンポーネント１２０を通常のヒンジと関連付けられる損傷から保護しながら、第１の部分１０２と第２の部分１０４との間の３６０度の回転をもたらし得る。例えば、事例１は、使用者１２２が彼／彼女の親指をそれらの部分の間に挟むときの、第１の部分と第２の部分との間の約５度の回転を示している。事例２は、約１００度の回転を示しており、事例３は、約３６０度の回転を示している。
【００１５】
更に、ラジアスヒンジアセンブリ１０６は、第１の部分１０２と第２の部分１０４との間の角度が増大するに応じて漸増抵抗をもたらし得るプログレッシブヒンジ  (漸増ヒンジ)(progressive  hinge)として考え出され得る。例えば、幾つかの実施において、事例１で、ラジアスヒンジアセンブリ１０６は、使用者１２２が、第２の部分１０４を彼らの第２の手で押さえ付けないで、第１の部分１０２を第２の部分１０４から上に離れる方向に傾け得るよう、動きに対する比較的低い抵抗をもたらし得る。事例２は、第２の部分１０４から約１００度回転させられた第１の部分１０２を示している。この角度で、ラジアスヒンジアセンブリ１０６は、動きに対して比較的より大きな抵抗をもたらすことができ、よって、使用のために第１の部分１０２を安定的に保持し得る。事例３は、第１の部分１０２に対して３６０度一周して回転させられた第２の部分１０４を示している（ディスプレイスクリーン１１０が上に面するよう、コンピューティングデバイス１００も反転させられている）。この構成では、ディスプレイスクリーンをタブレットのような方法において用い得る。
【００１６】
ラジアスヒンジアセンブリ１０６は、電子コンポーネント１２０を通常のヒンジと関連付けられる損傷から保護しながら、第１の部分と第２の部分との間の３６０度の回転をもたらし得る。
【００１７】
図２−９は、上で提示したラジアスヒンジアセンブリ１０６の１つの実施を集合的に示している。この変形は、接尾辞「Ａ」（例えば、１０６（Ａ））の使用を介して区別される。図２−３及び７−８は、「開放」位置（例えば、１８０度）におけるラジアスヒンジアセンブリ１０６（Ａ）を示している。図４−６は、「閉塞」位置（例えば、０度）におけるラジアスヒンジアセンブリ１０６（Ａ）を示している。図１０−１６は、１０６（Ｂ）で指し示される他のラジアスヒンジアセンブリを示している。
【００１８】
ラジアスヒンジアセンブリ１０６（Ａ）は、少なくとも第１及び第２の隣接する偏心（オフセット）したスタック２０２（積重ね２０２）を含んでよい。例示する構成は、５つのスタック２０２（１）−２０２（５）を含むが、より多い又はより少ないスタックが利用されてよい。特定の用途にとって望ましいことがあるよう、ラジアスヒンジアセンブリに追加的な抵抗を加えるために、スタックの数を増大させ得る。図８の分解図においてより容易に理解されることがあるように、個々のスタックは、ディスプレイ部分要素（例えば、ディスプレイ要素）８０４と、時限リンク要素８０６(タイミング調節される時限リンク要素)(timed  link  element)と、入力部分要素（例えば、入力要素）８０８とを含んでよい。図面頁の読み易さを向上させるために、第１の２つのスタック２０２（１）及び２０２（２）の要素のみを指し示している。しかしながら、スタックは、一般的に、交互に繰り返して現れる。よって、スタック２０２（３）及び２０２（５）は、スタック２０２（１）及び２０２（４）と類似し、スタック２０２（４）は、スタック２０２（２）と類似する。また、あらゆる要素が図２−９にことごとく示されているわけではない。この実施において、各スタックは、単一の時限リンク要素８０６を含む。図１０−１６は、各スタックが多数の連続的に配置される時限リンク要素を含む。
【００１９】
図２−９に例示する構成では、ディスプレイ部分要素８０４をディスプレイハウジング１１２に固定し得る（図１、事例２）。同様に、入力部分要素８０８を入力部分ハウジング１１８に固定し得る（図１、事例２）。スタック２０２（１）、２０２（３）、及び２０２（５）に関して、ディスプレイ部分要素８０４（１）の末端８１０には、時限リンク要素８０６（１）と係合するギアが付けられていない。対照的に、スタック２０２（２）及び２０２（４）に関して、末端８１０には、時限リンク要素８０６と係合するギアが付けられている。スタック２０２（１）、２０２（３）、及び２０２（５）に関して、入力部分要素８０８の末端８１２には、時限リンク要素８０６と係合するギアが付けられている。対照的に、スタック２０２（２）及び２０２（４）に関して、末端８１２には、時限リンク要素８０６と係合するギアが付けられていない。
【００２０】
時限リンク要素８０６は、概ね反対の第１の端８１４及び第２の端８１６と、第１の端８１４を通じて形成される第１の孔８１８及び第２の端８１６を通じて形成される第２の孔８２０とを有し得る。主要図面を曖昧にする指示線を避けるために、図８に関するコールアウト８２２(callout)では、これらの要素を特異性を伴わずに印している。例示の構成では、個々の時限リンク要素の両端にギアが付けられていることに留意のこと。この構成は、ラジアスヒンジアセンブリ１０６（１）が、より少ない異なる種類の要素で構成されることを可能にし得る。しかしながら、時限リンク要素８０６（１）の第１の端８１４は、ディスプレイ部分要素８０４（１）の末端８１０と係合せず、よって、ギア歯は利用されず、よって、ギア歯を省略し得ることに留意のこと。同様に、時限リンク要素８０６（２）の第２の端８１６もギア歯を省略し得る。何故ならば、それらは入力部分要素８０８（２）の末端８１２（２）と係合しないからである。
【００２１】
ラジアスヒンジアセンブリ１０６（Ａ）は、第１のスタック２０２（１）の時限リンク要素８０６（１）の第２の孔８２０を通じて進む概ね細長い軸ピン８２４（１）を含んでよい。軸ピン８２４（１）は、第２のスタック２０２（２）の時限リンク要素８０６（２）の第１の孔８１８も通じて進み、第２のスタック２０２（２）を第１のスタック２０２（１）に対して偏心（オフセット）した方法(offset  manner)において固定する。この場合、偏心した方法は、時限リンク要素のピッチ直径によって定められ得る。図９は、事例１での時限リンク要素８０６（１）及び時限リンク要素８０６（２）を示している。時限リンク要素８０６（２）は、破線で示されている。何故ならば、時限リンク要素８０６（２）の部分は、時限リンク要素８０６（１）の背後にあるからである。事例２は、第２の時限リンク要素８０６（２）の第１の端８１４及び第１の時限リンク要素８０６（１）の第２の端８１６によって定められるような、ピッチ直径９０２の追加を示している。
【００２２】
図８に戻ると、ラジアスヒンジアセンブリ１０６（Ａ）は、第１の軸ピン８２４（１）と概ね平行な第２の軸ピン８２４（２）及び第３の軸ピン８２４（３）を含んでよい。第２の軸ピン８２４（２）は、第２のスタック２０２（２）のディスプレイ要素８０４（２）にある孔８２６と第１のスタック２０２（１）の時限リンク要素８０６（１）の第１の端にある孔８１８とを通じて進み得る。第３の軸ピン８２４（３）は、第２のスタック２０２（２）の時限リンク要素８０６（２）の第２の端８１６にある孔８２０と第１のスタック２０２（１）の入力部分要素８０８（１）にある孔８２８とを通じて進み得る。
【００２３】
現在の構成において、第２の軸ピン８２４（２）及び第３の軸ピン８２４（３）は、（第１の）軸ピン８２４（１）の両側にある。この構成は、第２の軸ピン８２４（２）に隣接し且つ軸ピン８２４（１）に対して遠位にある第４の軸ピン８２４（４）と、第３のアクセスピン８２４（３）に隣接し且つ軸ピン８２４（１）に対して遠位にある第５の軸ピン８２４（５）とを含んでよい。第４の軸ピン８２４（４）は、第２のスタック２０２（２）のディスプレイ要素８０４（２）にある第２の孔８３０と第１のスタック２０２（１）のディスプレイ要素８０４（１）にある孔８３１とを通じて進み得る。第５の軸ピン８２４（５）は、第２のスタック２０２（２）の入力部分要素８０８（２）にある孔８３２と第１のスタック２０２（１）の入力部分要素８０８（１）の第２の孔８３４とを通じて進み得る。
【００２４】
この実施において、軸ピン８２４は、ネジ山付きボルトとして現れ得る。ボルトは、スタック２０２（１）〜２０２（５）を通じるリンクカバー８３６（それらの全てが特異性を伴って指し示されているわけではない）を通じて並びに他のセットのリンクカバー８３８及びネジ山付きナット８４０のセットを通じて進み得る。現在の構成において、第２の軸ピン８２４（２）及び第４の軸ピン８２４（４）は、第１及び第５のスタックの各側で共通のリンクカバーを共用し、軸ピン８２４（１）及び第３の軸ピン８２４（３）は、第１及び第５のスタックの各側で他の共通のリンクカバーを共用している。ネジ山付きボルト、リンクカバー、及びナット８４０は、スタックを互いに押し潰し合う圧縮力をもたらして、隣接する要素の間に摩擦を創り出してよい。幾つかの実施では、スタック間の所望の摩擦インターフェースを創り出し且つ維持するために、軸方向荷重がナット８４０とリンクカバー８３６との間のバネ座金の使用を通じて要素の間に適用されてよい。バネ座金は、要素が摩滅するときでさえも、軸方向荷重を維持するのに役立つ。ある時点で、バネ座金が荷重を維持し得ないならば、ボルト／ナットを締め付けて摩擦を増大させることによって、これらの実施を容易に調節し得る。
【００２５】
例示する構成はヒンジ剛性を制御するために軸方向摩擦を利用するものとして見られてよい。他の種類の軸方向摩擦構成が想定される。代替的な構成は、（孔に対する）過大軸ピン８２４(oversize  axis  pins)を利用し得る。軸ピンと孔を定める要素との間に摩擦嵌めを創り出すために、過大軸ピンをスタック２０２にある孔を通じてプレス嵌めし得る。この構成はヒンジ剛性を制御するために径方向摩擦を利用するものとして見られてよく、他の構成が想定される。
【００２６】
第１のスタック２０２（１）に関するこの実施において、時限リンク要素８０６（１）の第１の端８１４は、ディスプレイ要素８０４（１）と係合しない。第２の端８１６は、すべりのない１対１の回転係合において、入力部分要素８０８（１）と係合し得る。第２のスタック２０２（２）に関して、時限リンク要素８０６（２）の第１の端８１４は、すべりのない１対１の回転係合において、ディスプレイ部分要素８０４（２）と係合し得る。第２の端８１６は、入力部分要素８０８（２）と係合しない。この場合、すべりのない１対１の回転係合は、ラジアスヒンジアセンブリを軸ピン８２４（１）、８２４（２）、及び８２４（３）の周りで同時に回転させる相互噛合いギア(intermeshing  gears)によって達成される。他の実施は、他のギアプロファイル及び／又はギアの種類を利用することができ、且つ／或いは滑らかであるが高摩擦の径方向表面のような、非ギア接続解決策(non-geared  solutions)を利用することができる。１つの観点(perspective)から特徴付けられることは、図２−９に例示するラジアスヒンジの実施は、３つの軸（例えば、軸ピン８２４（１）、８２４（２）、及び８２４（３））の周りで同時に旋回し得る。後続の議論は、５つの軸の周りで同時に旋回し得るラジアスヒンジの実施を記載する。均等な大きさの要素を仮定すると、軸の数を増大させることは、ヒンジ半径を増大させ得る。ヒンジ半径を増大させる他の方法は、同じ数の軸を維持しながら、ピッチ直径を増大させることを伴い得る。
【００２７】
図１０−１６は、図２−９に関して上述したラジアスヒンジアセンブリ１０６（Ａ）に類似する他のラジアスヒンジアセンブリ１０６（Ｂ）を示している。よって、簡潔性のために、必ずしも全ての要素をここに再度提示しているわけではない。接尾辞「Ｂ」は、上述の実施からラジアスヒンジアセンブリ１０６（Ｂ）の要素を区別するために利用されている。この場合、図１４は、図８と類似する分解斜視図であり、それは要素の視覚化に役立つ。この実施は、９つのスタック２０２（１）（Ｂ）〜２０２（９）（Ｂ）を含む。他の数のスタックが想定される。更に、スタックは、軸ピン８２４（Ｂ）（１）〜８２４（Ｂ）（９）、リンクカバー８３６（Ｂ）及び８３８（Ｂ）、並びにナット８４０（Ｂ）によって固定される。この実施は、図２−９に関して上述した実施よりも多くの軸ピン、リンクカバー、及びナットを利用する。しかしながら、機能性は類似のままである。よって、図１０−１６に関して、これらの要素を詳細に議論しない。この実施における要素の量及び図面頁の制約の故に、特定の要素を印すために、より多くの余白が図面頁上で利用可能であるよう、例示的なスタック２０２（１）（Ｂ）及び２０２（２）（Ｂ）が、図１５に関連して分離して示されている。
【００２８】
図１５から理解し得るように、個々のスタック２０２の時限リンク要素８０６は、第１の時限リンク要素及び第２の時限リンク要素を含む。例えば、スタック２０２（１）（Ｂ）は、第１の時限リンク要素８０６（１）（Ｂ）（１）及び８０６（１）（Ｂ）（２）を含み、スタック２０２（２）（Ｂ）は、第１の時限リンク要素８０６（２）（Ｂ）（１）及び８０６（２）（Ｂ）（２）を含む。第１のスタック２０２（１）（Ｂ）に関して、第１の時限リンク要素８０６（１）（Ｂ）（１）の第１の端８１４は、ディスプレイ部分要素８０４（１）（Ｂ）の末端８１０（１）（Ｂ）と係合しない。第２の端８１６は、第２の時限リンク要素８０６（１）（Ｂ）（２）の第１の端８１４と係合し得る。第２の時限リンク要素８０６（１）（Ｂ）（２）の第２の端８１６は、入力部分要素８０８（１）（Ｂ）の末端８１２（１）（Ｂ）と係合し得る。第２のスタック２０２（Ｂ）（２）に関して、第１の時限リンク要素８０６（２）（Ｂ）（１）の第１の端８１４は、すべりのない１対１の回転係合において、ディスプレイ要素８０４（２）（Ｂ）と係合し得る。第１の時限リンク要素８０６（２）（Ｂ）（１）の第２の端８１６は、すべりのない１対１の回転係合において、第２の時限リンク要素８０６（２）（Ｂ）（２）の第１の端８１４と係合し得る。第２の時限リンク要素８０６（２）（Ｂ）（２）の第２の端８１６は、入力部分要素８０８（２）（Ｂ）の末端８１２（２）（Ｂ）と係合しない。ラジアスヒンジアセンブリが、多数の軸の周りを同時に回転する単一のユニットとして機能するよう、これらの係合の各々は、すべりのない１対１の回転係合をもたらし得る。例えば、図１４に例示する実施例において、多数の回転軸は、軸ピン８２４（Ｂ）（１）〜８２４（Ｂ）（５）によって定められるのに対し、図８の実施において、多数の回転軸は、軸ピン８２４（１）〜８２４（３）によって定められる。
【００２９】
図１６は、ラジアスヒンジアセンブリ１０６（Ｂ）の入力部分要素８０８（１）（Ｂ）、時限リンク要素８０６（１）（Ｂ）（１）及び８０６（１）（Ｂ）（２）、並びにディスプレイ部分要素８０４（１）（Ｂ）を示している。図１６は、ラジアスヒンジアセンブリ１０６（Ｂ）が多数の軸の周りでどのように同時に回転し得るかを示している（それらの軸は、図面頁上の混乱を避けるために、図示されているものの、指し示されていないが、図８に関して指し示されており且つ軸ピンを受け入れるように構成される、孔によって提示されている）。図１６は、０度、９０度、１３５度、１８０度、及び３６０度にある、ラジアスヒンジアセンブリ１０６（Ｂ）を示している。更に、ラジアスヒンジアセンブリは、最小の曲げ半径ｒを維持しながら、この回転を達成し得る。この場合、曲げ半径は、０度及び３６０度でその最低値にあり、間に現れる値(intervening  values)についてより高い値を伴う。ラジアスヒンジアセンブリは、全３６０度の回転が可能であり得る（或いは数度より多い角度（例えば、約３６５度）の回転さえも可能であり得る）が、例えば、１３５度又は１８０度のような特定の値で回転を限定する機械的停止装置(mechanical  stops)を含め得ることに留意のこと。均等な大きさの要素を仮定するならば、より多くの時限リンク要素８０６を追加することによって、最小の曲げ半径を増大させ得る。例えば、スタック毎に単一の時限リンク要素を利用する図４をスタック毎に２つの時限リンク要素を利用する図７を比較のこと。
【００３０】
要約すると、本ラジアスヒンジアセンブリの実施は、３６０度の関節式作動(articulation)を可能にするシームレスヒンジをもたらし得る。この設計は、時限ギア(タイミング調節されるギア)(timed  gear)の使用及び所望の位置を保持する摩擦の使用を通じて別個の位置で割り出しを行う(index)ことを必要とせずに、デバイススクリーンがベースに対して３６０度で関節式に作動させられるのを可能にし得る。機構を隠すことに関して、ラジアスヒンジアセンブリの実施を、エラストマ(elastomer)又は織物(fabric)内に埋め込み得る。３６０度の関節式作動は、デバイスがラップトップモード、スタンドモード、テントモード、及び／又はタブレットモードにおいて構成されることを可能にする。
【００３１】
ラジアスヒンジアセンブリは、全範囲(full  range)の関節式作動を通じてヒンジの曲率を制御する時限伝動装置(timed  gearing)を備える摩擦ヒンジとして考えられ得る。伝動装置は、個々の時限リンク要素を互いに連結して、摩擦要求を摩擦要素の全てに広げ得る。要素は、ギア、リンケージ、及び摩擦要素として、三重の効率(triple  duty)をもたらし得る。
【００３２】
ラジアスヒンジアセンブリの個々の要素を、とりわけ、板金、ダイカスト金属、及び／又は成形プラスチック、或いは、これらの材料のあらゆる組み合わせのような、様々な材料から作製し得る。より大きな荷重のためにより大きな摩擦を創り出すために、スタックを積み重ね得る。
【００３３】
要約すれば、上記議論は、ヒンジ付き部分を有するコンピューティングデバイスのようなデバイスに関する。１つの実施例は、ディスプレイスクリーンを含むディスプレイ部分と、入力デバイスを含む入力部分とを含み得る。この実施例は、第１の部分及び第２の部分を回転可能に固定するラジアスヒンジアセンブリも含み得る。ラジアスヒンジアセンブリは、第１の部分及び第２の部分の間の３６０度の相対的な回転を可能にし得る曲線を描いて動く(曲線を成す)(curvilinear)関節式作動をもたらすように、構成され得る。
【００３４】
他の実施例は、第１の部分と、第２の部分とを含み得る。第１の部分及び第２の部分の各々は、導体によって相互接続される電子コンポーネントを含み得る。この実施例は、第１の部分及び第２の部分を回転可能に固定するラジアスヒンジアセンブリも含み得る。ラジアスヒンジアセンブリは、少なくとも第１及び第２の偏心（オフセット）させられる隣接するスタックを含み得る。少なくとも第１及び第２の偏心させられる隣接するスタックは、第１の部分と第２の部分との間の導体のために最小の曲げ半径を維持しながら、互いに対する第１の部分及び第２の部分の回転を集合的に制御し得る。
【００３５】
更に他の実施例は、ディスプレイスクリーンを含むディスプレイ部分と、入力デバイスを含む入力部分とを含み得る。この実施例は、ディスプレイ及び入力部分を回転可能に固定するヒンジアセンブリも含み得る。ヒンジアセンブリは、少なくとも第１及び第２の隣接する偏心させられるスタックを含み得る。個々のスタックは、ディスプレイ部分要素と、時限リンク要素と、入力部分要素とを含み得る。時限リンク要素は、概ね反対の第１及び第２の端と、第１の端を通じて形成される第１の孔及び第２の端を通じて形成される第２の孔とを有し得る。軸ピンが第１のスタックの時限リンク要素の第２の孔及び第２のスタックの時限リンク要素の第１の孔を通じて進むことができ、それは第２のスタックを第１のスタックに対して偏心させられた方法において固定し得る。偏心させられた方法は、第２のスタックの時限リンク要素の第１の端及び第１のスタックの時限リンク要素の第２の端のピッチ直径によって定められ得る。
【００３６】
（更なる実施例）
例示的なコンピューティングデバイスは、ディスプレイスクリーンを含むディスプレイ部分と、入力デバイスを含む入力部分と、ディスプレイ及び入力デバイスを回転可能に固定するヒンジアセンブリとを含み得る。ヒンジアセンブリは、少なくとも第１及び第２の隣接する偏心させられるスタックを含むことができ、個々のスタックは、ディスプレイ部分要素と、時限リンク要素と、入力部分要素とを含む。時限リンク要素は、概ね反対の第１の端及び第２の端と、第１の端を通じて形成される第１の孔及び第２の端を通じて形成される第２の孔とを有する。ヒンジアセンブリは、第２のスタックを第１のスタックに対して偏心させられた方法において固定する、第１のスタックの時限リンク要素の第２の孔及び第２のスタックの時限リンク要素の第１の孔を通じて進む軸ピンも含み得る。偏心させられて方法は、第２のスタックの時限リンク要素の第１の端及び第１のスタックの時限リンク要素の第２の端のピッチ直径によって定められる。
【００３７】
入力部分は、ハウジングを含み、入力部分要素は、ハウジングに固定される、上の及び／又は下の実施例のコンピューティングデバイス。
【００３８】
ディスプレイ部分は、ハウジングを含み、ディスプレイ部分要素は、ハウジングに固定される、上の及び／又は下の実施例のコンピューティングデバイス。
【００３９】
ヒンジアセンブリは、互いに対するディスプレイ部分及び入力部分の３６０度の回転を可能にするように構成される、上の及び／又は下の実施例のコンピューティングデバイス。
【００４０】
ヒンジアセンブリは、ディスプレイ部分及び入力部分がそれらの間に比較的小さい角度を定めるときに回転に対してより少ない抵抗をもたらし、角度がより大きくなるに応じて漸増的により多くの抵抗をもたらす、プログレッシブヒンジである、上の及び／又は下の実施例のコンピューティングデバイス。
【００４１】
各スタックは、単一の時限リンク要素を含み、或いは、各スタックは、多数の連続的に配置される時限リンク要素を含む、上の及び／又は下の実施例のコンピューティングデバイス。
【００４２】
各スタックは、単一の時限リンク要素を含み、単一の時限リンク要素の各端にギアが付けられ、或いは、第１の端又は第２の端の一方のみにギアが付けられる、上の及び／又は下の実施例のコンピューティングデバイス。
【００４３】
第１のスタックに関して、時限リンク要素の第１の端は、ディスプレイ部分要素と係合せず、第２の端は、すべりのない１対１の回転係合において入力部分要素と係合し、第２のスタックに関して、時限リンク要素の第１の端は、すべりのない１対１の回転係合においてディスプレイ部分要素と係合し、第２の端は、入力部分要素と係合しない、上の及び／又は下の実施例のコンピューティングデバイス。
【００４４】
軸ピンは、第１の軸ピンを含み、第２のスタックのディスプレイ部分要素にある孔と第１のスタックの時限リンク要素の第１の端にある孔とを通じて進む第２の軸ピンと、第２のスタックの時限リンク要素の第２の端にある孔と第１のスタックの入力部分要素にある孔とを通じて進む第３の軸ピンとを更に含む、上の及び／又は下の実施例のコンピューティングデバイス。
【００４５】
第１の軸ピン、第２の軸ピン、及び第３の軸ピンは、摩擦嵌めを創り出すよう、第１及び第２のスタックにある孔に比べて過大にされる、上の及び／又は下の実施例のコンピューティングデバイス。
【００４６】
第１の軸ピン、第２の軸ピン、及び第３の軸ピンは、第１及び第２のスタックを互いに圧縮する、上の及び／又は下の実施例のコンピューティングデバイス。
【００４７】
第１の軸ピン、第２の軸ピン、及び第３の軸ピンは、第１及び第２のスタックを互いに圧縮するよう締め付けられ得るネジ山付きナットを受ける、ネジ山付きボルトを含む、上の及び／又は下の実施例のコンピューティングデバイス。
【００４８】
第２の軸ピン及び第３の軸ピンは、第１の軸ピンの両側にあり、第２の軸ピンに隣接し且つ第１の軸ピンに対して遠位にある第４の軸ピンと、第３の軸ピンに隣接し且つ第１の軸ピンに対して遠位にある第５の軸ピンとを含む、上の及び／又は下の実施例のコンピューティングデバイス。第４の軸ピンは、第２のスタックのディスプレイ部分要素にある第２の孔及び第１のスタックのディスプレイ部分要素にある孔を通じて進み、第５の軸ピンは、第２のスタックの入力部分要素にある孔及び第１のスタックの入力部分要素にある第２の孔を通じて進む。第２及び第４の軸ピンは、第１及び第２のスタックの各側にある共通のリンクカバーを共用し、第１の軸ピン及び第３の軸ピンは、第１及び第２のスタックの各側にある他の共通のリンクカバーを共用する。
【００４９】
個々のスタックの時限リンク要素は、第１及び第２の時限リンク要素を含み、第１のスタックに関して、第１の時限リンク要素の第１の端は、ディスプレイ部分要素と係合せず、第２の端は、すべりのない１対１の回転係合において第２の時限リンク要素の第１の端と係合し、第２の時限リンク要素の第２の端は、すべりのない１対１の回転係合において入力部分要素と係合し、第２のスタックに関して、第１の時限リンク要素の第１の端は、すべりのない１対１の回転係合においてディスプレイ部分要素と係合し、第１の時限リンク要素の第２の端は、すべりのない１対１の回転係合において第２の時限リンク要素の第１の端と係合し、第２の時限リンク要素の第２の端は、入力部分要素と係合しない、上の及び／又は下の実施例のコンピューティングデバイス。
【００５０】
ディスプレイスクリーンを含むディスプレイ部分と、入力デバイスを含む入力部分と、ディスプレイ部分及び入力部分を回転可能に固定し且つディスプレイ部分及び入力部分の間の３６０度の相対的な回転を可能にする曲線を描いて動く関節式作動をもたらすように構成されるラジアスヒンジアセンブリとを含む、例示的なコンピューティングデバイス。
【００５１】
ラジアスヒンジアセンブリは、一組の細長い平行な軸ピンの周りで回転し、曲線を描いて動く関節式作動は、軸ピンの長手軸に対して横方向に見られる、上の及び／又は下の実施例のコンピューティングデバイス。
【００５２】
ラジアスヒンジアセンブリは、３６０度の相対的な回転について、曲線を描いて動く関節式作動の曲率を制御するよう、時限伝動装置を含む、上の及び／又は下の実施例のコンピューティングデバイス。
【００５３】
入力デバイスは、タッチパッド、キーボード、及び／又はタッチセンサ式ディスプレイスクリーンを含む、上の及び／又は下の実施例のコンピューティングデバイス。
【００５４】
電子コンポーネントを含み且つ導体によって第２の電子コンポーネントを含む第２の部分に電気的に接続される第１の部分と、第１の部分及び第２の部分を回転可能に固定するラジアスヒンジアセンブリとを含む、例示的なコンピューティングデバイス。第１の部分と第２の部分との間の導体について最小の曲げ半径を維持しながら、互いに対する第１の部分及び第２の部分の回転を集合的に制御する、少なくとも第１及び第２の偏心させられる隣接するスタックを含む、ラジアスヒンジアセンブリ。
【００５５】
ヒンジアセンブリは、１度〜３６０度の回転を可能にし、最小の曲げ半径は、０度及び３６０度で起こり、曲げ半径は、最小の曲げ半径から中間的な度の値で増大する、上の及び／又は下の実施例のコンピューティングデバイス。
【００５６】
（例示的な方法）
ラジアスヒンジアセンブリについての様々な使用、組立て、及び製造の方法が、図１−１６に関して上に示したものを越えて想定される。
【００５７】
（結論）
ラジアスヒンジアセンブリに関する、技法、方法、デバイス、システム等を、構造的な構成及び／又は方法論的な行為に特異な言語において記載しているが、添付の請求項に定められる主題は、必ずしも記載される特定の構成又は行為に限定されないことが、理解されるべきである。むしろ、特定の構成及び行為は、請求する方法、デバイス、システム等を実施する例示的な形態として開示されている。
【図１】
0006800020.tif 000002
【図２】
0006800020.tif 000003
【図３】
0006800020.tif 000004
【図４】
0006800020.tif 000005
【図５】
0006800020.tif 000006
【図６】
0006800020.tif 000007
【図７】
0006800020.tif 000008
【図８】
0006800020.tif 000009
【図９】
0006800020.tif 000010
【図１０】
0006800020.tif 000011
【図１１】
0006800020.tif 000012
【図１２】
0006800020.tif 000013
【図１３】
0006800020.tif 000014
【図１４】
0006800020.tif 000015
【図１５】
0006800020.tif 000016
【図１６】
0006800020.tif 000017